(57)【要約】  ディスクを再生するための一方法は、第一の波長を有する第一のレーザーで光学物品の第一の部分を照明して第一の光学信号を得る段階、第一の波長と異なる第二の波長を有する第二のレーザーで第二の部分を照明して第二の光学信号を得る段階、及び第一の光学信号と第二の光学信号とを比較することで光学物品が真正のものであるか否かを判定する段階を含んでなる。【選択図】    図１
2008520060.tif 000002
【特許請求の範囲】
【請求項１】
光学物品の使用方法であって、
第一の波長を有する第一のレーザーで光学物品の第一の部分を照明して第一の光学信号を得る段階、
第一の波長と異なる第二の波長を有する第二のレーザーで第二の部分を照明して第二の光学信号を得る段階、並びに
第一の光学信号及び第二の光学信号を比較することで光学物品が真正のものであるか否かを判定する段階
を含んでなる方法。
【請求項２】
第一の光学信号が反射率、透過率、ルミネセンス、偏光、位相、及びこれらの光学信号の１以上を含む組合せからなる群から選択され、第一の光学信号及び第二の光学信号を比較することがさらに第一の光学信号と第二の光学信号との比を求めることを含み、比が約１．１５以上又は約０．８５以下であれば光学物品は真正のものである、請求項１記載の方法。
【請求項３】
比が約１．２０以上又は約０．８０以下である、請求項２記載の方法。
【請求項４】
比が約１．３０以上又は約０．７０以下である、請求項３記載の方法。
【請求項５】
第一の光学信号及び第二の光学信号を比較することがさらに、第一の光学信号及び第二の光学信号を互いに比較して比を求めることを含み、光学物品が真正のものであるか否かを判定することがさらに、その比を基準値と比較することを含む、請求項１記載の方法。
【請求項６】
第一の光学信号と第二の光学信号との差が１５％以上である、請求項１記載の方法。
【請求項７】
第一の光学信号と第二の光学信号との差が２０％以上である、請求項６記載の方法。
【請求項８】
第一の光学信号と第二の光学信号との差が２５％以上である、請求項７記載の方法。
【請求項９】
さらに光学物品タイプを確認する段階を含み、光学物品タイプがＣＤであれば第一の波長は約７５５〜約８０５ｎｍであり、光学物品タイプがＤＶＤであれば第一の波長は約６２５〜約６７５ｎｍであり、光学物品タイプがブルーレイ又はＨＤ−ＤＶＤであれば第一の波長は約３８０〜約４３０ｎｍである、請求項１記載の方法。
【請求項１０】
光学物品が真正のものであれば、さらに、第一のレーザーを用いて光学物品を第一の波長で照明することで真正の光学物品からデータを検索する段階を含む、請求項１記載の方法。
【請求項１１】
光学物品が２以上のフォーマット化データタイプを有する、請求項１記載の方法。
【請求項１２】
２以上のフォーマット化データタイプが、ＤＶＤフォーマット化データと、ＣＤフォーマット化データ、ＨＤ−ＤＶＤフォーマット化データ及びブルーレイフォーマット化データからなる群から選択されるタイプとを含む、請求項１１記載の方法。
【請求項１３】
さらに、第一の光学信号を得る前に光学物品タイプを確認する段階を含む、請求項１記載の方法。
【請求項１４】
さらに、光学物品のブートセクションを読み取ることで光学物品の第一の部分の位置を決定する段階を含む、請求項１記載の方法。
【請求項１５】
さらに、光学物品を認証する前に光学物品フォーマットを確認する段階を含む、請求項１記載の方法。
【請求項１６】
第一の部分が光学物品上で第二の部分と同じ位置にある、請求項１記載の方法。
【請求項１７】
第一の部分が光学物品のＤＶＤ層であり、第二の部分がＣＤ層、ＨＤ−ＤＶＤ層及びブルーレイ層からなる群から選択される光学物品の別の層である、請求項１記載の方法。
【請求項１８】
第一の部分が光学物品の第一の側にあり、第二の部分が光学物品について第一の部分と異なる側にある、請求項１記載の方法。
【請求項１９】
光学物品が真正のものであるか否かを判定する段階がさらに、第一の光学信号及び第二の光学信号を、光学的変性剤を含む光学物品を表す基準値と比較することを含む、請求項１記載の方法。
【請求項２０】
機械読取り可能なコンピュータープログラムコードでエンコードされた光学物品ドライブシステムであって、前記コードはコンピューターに光学物品の使用方法を実施させるための命令を含むと共に、前記方法は
第一の波長を有する第一のレーザーで光学物品を照明して第一の光学信号を得る段階、
第一の波長と異なる第二の波長を有する第二のレーザーで光学物品を照明して第二の光学信号を得る段階、及び
第一の光学信号及び第二の光学信号を比較することで光学物品が真正のものであるか否かを判定する段階
を含んでなる、光学物品ドライブシステム。
【請求項２１】
コンピューターに光学物品の使用方法を実施させるための命令を含むコンピューターデータ信号であって、前記方法は
第一の波長を有する第一のレーザーで光学物品を照明して第一の光学信号を得る段階、
第一の波長と異なる第二の波長を有する第二のレーザーで光学物品を照明して第二の光学信号を得る段階、及び
第一の光学信号及び第二の光学信号を比較することで光学物品が真正のものであるか否かを判定する段階
を含んでなる、コンピューターデータ信号。
【請求項２２】
第一の波長で読取り可能な第一のデータ、
第二の波長で読取り可能な第二のデータであって、第一の波長及び第二の波長が異なっている第二のデータ、並びに
第一のデータと光学的に連絡しながら光学物品の光学的変性剤部分中に配設された光学的変性剤であって、第一のデータの第一の部分からの第一の光学信号と第二の部分からの第二の光学信号との差が１５％以上となるのに十分な量だけ光学物品の光学的性質を変化させる光学的変性剤
を含んでなる光学物品であって、
第一のデータがＤＶＤフォーマット化データからなり、第二のデータがＣＤフォーマット化データ、ＨＤ−ＤＶＤフォーマット化データ及びブルーレイフォーマット化データからなる群から選択される、光学物品。
【請求項２３】
さらに、レーザー吸収剤、ルミネセンス物質、屈折率変更剤、散乱剤、偏光調整剤、非線形光学材料、及び上述の光学的変性剤の１種以上を含む組合せからなる群から選択される光学的変性剤を含む、請求項２２記載の光学物品。
【請求項２４】
第一の波長と第二の波長との差が約５０ｎｍ以上である、請求項２２記載の光学物品。
【請求項２５】
第一のデータが光学物品の第一の側にあり、第二のデータが光学物品について第一のデータと異なる側にある、請求項２２記載の光学物品。
【請求項２６】
第一の部分及び第二の部分が同じ三次元位置にある、請求項１記載の光学物品。
【請求項２７】
第一の波長で読取り可能な第一のデータ、
第二の波長で読取り可能な第二のデータであって、第一の波長及び第二の波長が異なっている第二のデータ、並びに
第一のデータと光学的に連絡しながら光学物品の光学的変性剤部分中に配設された光学的変性剤であって、第一のデータの第一の部分からの第一の光学信号と第二の部分からの第二の光学信号との差が１５％以上となるのに十分な量だけ光学物品の光学的性質を変化させる光学的変性剤
を含んでなる光学物品であって、
当該光学物品がＩＤカード、パスポート、支払いカード、免許証、許可証、個人情報カード及びセキュリティ書類からなる群から選択される、光学物品。
【請求項２８】
第一の波長と第二の波長との差が約５０ｎｍ以上である、請求項２７記載の光学物品。
【請求項２９】
光学物品の使用方法であって、
第一の波長を有する第一のレーザーで光学物品の第一の部分を照明して第一の光学信号を得る段階、
第一の波長と異なる第二の波長を有する第二のレーザーで第一の部分を照明して第二の光学信号を得る段階、並びに
第一の光学信号及び第二の光学信号を、光学的変性剤を含む光学物品を表す基準値と比較することで光学物品が真正のものであるか否かを判定する段階
を含んでなり、
第一の光学信号と第二の光学信号との差が２５％以上である、方法。
【請求項３０】
第一の波長で読取り可能な第一のデータ、
第二の波長で読取り可能な第二のデータであって、第一の波長及び第二の波長が異なっており、第一の波長が第二の波長より高い第二のデータ、並びに
第一のデータと光学的に連絡しながら光学物品の光学的変性剤部分中に配設された光学的変性剤であって、第一の部分からの第一の光学信号が第二の部分からの第二の光学信号より１５％以上低くなるのに十分な量だけ光学物品の光学的性質を変化させる光学的変性剤
を含んでなる光学物品。
【請求項３１】
第一の波長が７８０ｎｍである、請求項３０記載の光学物品。
【発明の詳細な説明】
【技術分野】
【０００１】
本発明は認証可能な媒体及び認証方法に関する。
【背景技術】
【０００２】
コンパクトディスク（ＣＤ）、ディジタルバーサタイルディスク（ＤＶＤ）、スーパーオーディオＣＤ（ＳＡＣＤ）、エンハンストビデオディスク（ＥＶＤ）、記録型コンパクトディスク（ＣＤ−Ｒ）及び記録型ディジタルバーサタイルディスク（ＤＶＤ−Ｒ）のような非記録型及び記録型情報記憶媒体の様々なメーカー及びユーザーが直面している大きな問題は、無許可製造者、販売者及び／又はユーザーによる情報の無許可複製又はコピーである。情報記憶媒体のかかる無許可複製又はコピーは、しばしば海賊行為といわれる。海賊行為は、最終使用時点での消費者レベル海賊行為並びに商業レベルでのデータ、基板及び海賊行為防止情報の大規模な複製を含む様々な形態で起こり得る。その形態にかかわらず、情報記憶媒体の海賊行為は合法のディジタルコンテンツ供給者及び製造者から多大の収益及び利得を奪い去る。
【０００３】
消費者レベルで海賊行為を止めようとする試みとして、保護すべき情報と共に電子的な海賊行為防止信号を情報担持基板上に配置することが行われてきた。かかる情報記憶媒体の機械リーダー及びプレーヤーは、所望情報へのアクセスを許す前にかかる海賊行為防止信号の確認を要求するように構成されている。理論的には、消費者レベルの複製ではこれらの電子的な海賊行為防止信号を無許可コピー上に複写することができず、したがって得られる複製物及びコピーは使用できない。
【０００４】
しかし、かかる消費者レベルの海賊行為防止技術の裏をかくための多数の技術が開発されており、それは今も続いている。その上、商業レベルの複製は、無許可複製物が今では本来の電子的な海賊行為防止回路、コードなどを含む程度にまで進化している。例えば、商業レベルの複製方法には、ピットコピー、高周波（ＲＦ）コピー、「ビット・トゥー・ビット」コピー及び他の鏡像コピー技術があり、これらは保護すべき情報と共に海賊行為防止信号も複製物の情報担持基板上に配置する。ハッカーが常用する他の技術には、海賊行為防止（コピープロテクト又はコピー防止ともいう）特性を除去してデータへの自由なアクセスを可能にするためにコンピューターコードを修正するものもある。
【０００５】
真正のものか海賊行為によるものかについて容易に識別できる情報記憶媒体が得られれば望ましいであろう。これらの一層巧妙な消費者レベル及び商業レベルの複製及びコピー方法に対抗することを目指した１つの海賊行為防止技術は、情報記憶媒体の構成に使用する基板中に「標識」又は認証マーカーを配置することを含んでいる。かかる標識又は認証マーカーは、情報記憶媒体の製造又は配給系統に沿った１以上の時点で、或いは特定の情報記憶媒体上のデータにアクセスするために使用する最終用途リーダー又はプレーヤーで検出できる。
【特許文献１】米国特許第４，６９９，５１０号公報
【特許文献２】米国特許第５，００５，８７３号公報
【特許文献３】米国特許第５，１３７，３６４号公報
【特許文献４】米国特許第５，３２６，６９２号公報
【特許文献５】米国特許第５，３２９，１２７号公報
【特許文献６】米国特許第５，５１０，６１９号公報
【特許文献７】米国特許第５，５５３，７１４号公報
【特許文献８】米国特許第５，８３８，４５１号公報
【特許文献９】米国特許第６，１６０，７８７号公報
【特許文献１０】米国特許第６，５８９，６２６号公報
【特許文献１１】米国特許第６，６３８，５９３号公報
【特許文献１２】米国特許第６，７０７，５３９号公報
【特許文献１３】米国特許第６，３８０，５４７号公報
【特許文献１４】米国特許第４，５１４，０８５号公報
【特許文献１５】米国特許第５，５６８，２５１号公報
【特許文献１６】米国特許第６，０９９，９３０号公報
【特許文献１７】米国特許第６，２９０，１３０号公報
【特許文献１８】米国特許出願公開第２００３／０１２５６２号公報
【特許文献１９】米国特許出願公開第２００３／００８０１９３号公報
【特許文献２０】欧州特許第０１２１２６１号公報
【特許文献２１】欧州特許第０１８１２２８号公報
【特許文献２２】欧州特許第１２２０１６５号公報
【特許文献２３】欧州特許第０９３５２４２号公報
【特許文献２４】英国特許第１，１７０，９６５号公報
【特許文献２５】英国特許第２２６４５５８Ａ号公報
【特許文献２６】国際公開第９８／３１０１１号公報
【特許文献２７】国際公開第００／１４７３６号公報
【特許文献２８】国際公開第０３／０８７８８８号公報
【特許文献２９】国際公開第０３／１０５０７５号公報
【特許文献３０】国際公開第２００４／０２６５８９号公報
【特許文献３１】国際公開第０２／５０７４４号公報
【発明の開示】
【発明が解決しようとする課題】
【０００６】
情報記憶媒体中に使用するプラスチック組成物の自動識別は、リサイクル、製造源の追跡、海賊行為からの保護などの各種用途にとって非常に望ましい。さらに、それは情報記憶媒体の自動認証のためにも望ましいであろう。上述の事実にもかかわらず、記憶媒体の標識方法及び認証方法に対する要望は今なお存在している。
【課題を解決するための手段】
【０００７】
本発明は、認証可能なディスク、ディスク再生方法及びディスク認証方法に関する。一実施形態では、ディスク再生方法は、第一の波長を有する第一のレーザーでディスクを照明する段階、及び第一の静的応答が所定の応答範囲内にあるか否かを判定する段階を含み得る。第一の静的応答が所定の応答範囲内にあれば、ディスクは第一の波長と異なる第二の波長を有する第二のレーザーで照明される。
【０００８】
ディスクを再生するための一方法は、第一の波長を有する第一のレーザーで光学物品の第一の部分を照明して第一の光学信号を得る段階、第一の波長と異なる第二の波長を有する第二のレーザーで第二の部分を照明して第二の光学信号を得る段階、並びに第一の光学信号及び第二の光学信号を比較することで光学物品が真正のものであるか否かを判定する段階を含み得る。
【０００９】
一実施形態では、機械読取り可能なコンピュータープログラムコードでエンコードされた光学物品ドライブシステムであって、前記コードはコンピューターに光学物品の使用方法を実施させるための命令を含む光学物品ドライブシステムが提供される。前記方法は、第一の波長を有する第一のレーザーで光学物品を照明して第一の光学信号を得る段階、第一の波長と異なる第二の波長を有する第二のレーザーで光学物品を照明して第二の光学信号を得る段階、並びに第一の光学信号及び第二の光学信号を比較することで光学物品が真正のものであるか否かを判定する段階を含み得る。
【００１０】
一実施形態では、光学物品は、第一の波長で読取り可能な第一のデータ、第二の波長で読取り可能な第二のデータであって、第一の波長及び第二の波長が異なっている第二のデータ、並びに第一のデータと光学的に連絡しながら光学物品の光学的変性剤部分中に配設された光学的変性剤を含み得る。光学的変性剤は、第一のデータの第一の部分からの第一の光学信号と第二の部分からの第二の光学信号との差が１５％以上となるのに十分な量だけ光学物品の光学的性質を変化させることができる。第一のデータはＤＶＤフォーマット化データからなり得ると共に、第二のデータはＣＤフォーマット化データ、ＨＤ−ＤＶＤフォーマット化データ及び／又はブルーレイフォーマット化データであり得る。
【００１１】
別の実施形態では、光学物品は、第一の波長で読取り可能な第一のデータ、第一の波長と異なる第二の波長で読取り可能な第二のデータ、及び第一のデータと光学的に連絡しながら光学物品の光学的変性剤部分中に配設された光学的変性剤を含み得る。光学的変性剤は、第一のデータの第一の部分からの第一の光学信号と第二の部分からの第二の光学信号との差が１５％以上となるのに十分な量だけ光学物品の光学的性質を変化させることができる。かかる光学物品は、ＩＤカード、パスポート、支払いカード、免許証、許可証、個人情報カード及び／又はセキュリティ書類であり得る。
【００１２】
さらに別の実施形態では、光学物品は、第一の波長で読取り可能な第一のデータ、第二
の波長で読取り可能な第二のデータであって、第一の波長及び第二の波長が異なっており、第一の波長が第二の波長より高い第二のデータ、並びに第一のデータと光学的に連絡しながら光学物品の光学的変性剤部分中に配設された光学的変性剤を含み得る。光学的変性剤は、第一の部分からの第一の光学信号が第二の部分からの第二の光学信号より１５％以上低くなるのに十分な量だけ光学物品の光学的性質を変化させる。
【００１３】
別の実施形態では、光学物品の使用方法は、第一のレーザーで光学物品の第一の部分を照明して第一の光学信号を得る段階、第二のレーザーで第一の部分を照明して第二の光学信号を得る段階、並びに第一の光学信号及び第二の光学信号を、光学的変性剤を含む光学物品を表す基準値と比較することで、光学物品が真正のものであるか否かを判定する段階を含み得る。第一のレーザーは第一の波長を有し得る。第二のレーザーは、第一の波長と異なる第二の波長を有し得る。第一の光学信号と第二の光学信号との差は２５％以上であり得る。
【００１４】
上記その他の特徴は、以下の図面及び詳しい説明で例示される。
【００１５】
図面の簡単な説明
次に、例示的な実施形態である図面について説明する。これらの図面中では、類似した構成要素には同じ番号が付けられている。
【００１６】
図１は、離散した試薬スポットを有する光ディスクの略図である。
【００１７】
図２は、６５０ｎｍではなく７８０ｎｍを選択的に遮断するために光学的変性剤（近赤外（ＮＩＲ）吸収剤）を添加した光ディスクのデータ部分の反射率プロフィルを示すグラフである。
【００１８】
図３は２つの読取り側を有するハイブリッド光ディスクの略図であって、一方の側がＤＶＤ層であり、他方の側がデュアルレーザー認証を可能にするためのＮＩＲ吸収剤を含むＣＤ層である。
【００１９】
図４はＤＶＤ層及びＣＤ層を含むと共にただ１つの側から読取り可能なハイブリッドディスクを略示していて、ＣＤ層がデュアルレーザー認証を可能にするためのＮＩＲ吸収剤を含んでいる。
【００２０】
図５は、デュアルレーザー認証可能な多層ディスク及びその製造方法を示す略図である。
【００２１】
図６は、ディスクを挿入した場合におけるデュアルレーザー光学ドライブの挙動（論理）を表す高レベル線図である。
【００２２】
図７は、透明ディスク（ＯＱ１０３０）、及び６５０ｎｍに比べて７８０ｎｍを選択的に吸収するＮＩＲ吸収剤の２つのレベルに関し、光透過率を波長の関数として示すグラフである。
【００２３】
図８は、ドライブが６５０ｎｍレーザー又は７８０ｎｍレーザーで動作する場合、ＤＶＤディスクの読取り面上に形成された吸光領域に対するＣＤ／ＤＶＤコンボドライブの光検出器の応答を示すグラフである。
【００２４】
図９は、ＳＡＣＤディスクの読取り面上に形成された吸光領域を６５０ｎｍ又は７８０ｎｍレーザーで検出することを示すグラフである。
【００２５】
図１０は、吸光領域のＵＶ−可視スペクトルを示すグラフである。
【発明を実施するための最良の形態】
【００２６】
本明細書における「第一」、「第二」などの用語はいかなる数量、順序又は重要度も意味せず、むしろある構成要素を別のものから区別するために使用されることに注意されたい。本明細書中に単数形で記載したものは、数量の制限を意味するわけではなく、むしろ記載されたものの１以上が存在することを意味する。さらに、本明細書中に開示されるすべての範囲は、両端を含むと共に結合可能である（例えば、「約２５ｗｔ％まで、望ましくは約５〜約２０ｗｔ％」という範囲は、端点を含むと共に、「約５〜約２５ｗｔ％」などの範囲内のすべての中間値を含む）。本明細書中で使用される「約」という用語は、ある数値範囲内の数に関連して使用される場合、「約」が修飾する数の１標準偏差内にあると定義される。
【００２７】
以下の認証を使用できる可能な媒体の例には、例えば、コンパクトディスク（ＣＤ）（例えば、追記型コンパクトディスク（ＣＤ−Ｒ）、書換型コンパクトディスク（ＣＤ−ＲＷ）など）、光磁気ディスク、ディジタルバーサタイルディスク（例えば、ＤＶＤ−５、ＤＶＤ−９、ＤＶＤ−１０、ＤＶＤ−１８、ＤＶＤ−Ｒ、ＤＶＤ−ＲＷ、ＤＶＤ＋ＲＷ、ＤＶＤ−ＲＡＭ、ＨＤ−ＤＶＤなど）、ブルーレイディスク、エンハンストビデオディスク（ＥＶＤ）、追記型及び書換型ブルーレイディスクなどの光及び光磁気媒体フォーマットがある。媒体を再生するために使用するドライブ論理及び／又はドライブコマンドについてのドライブ差を利用することは、不法コピーに対して保護された光ディスク（コピー防止ディスク）の製造を可能にする。コピー防止ディスクは、２種のレーザー波長で異なるリードバック能力を有する試験部分を含んでいる。一実施形態では、（ディスクの全部又は一部からなる）試験部分は第一のレーザー波長で読取り可能であるが、第二のレーザー波長では読取り可能でない。この場合、一方のレーザー波長は他方のレーザー波長より高い結果、（例えば、波形を比較することにより）これらのレーザー波長で認識可能なリードバックの差が存在する。静的応答（即ち、時間の経過に伴って変化しない応答）であり得る第一の光学信号が正常信号（例えば、そのタイプのディスクから期待される応答）と異なり、しかもその差が第一の光学信号を正常信号から識別し得るのに十分である（即ち、ドライブ光学系が信号を感知し、これらを正規のノイズ、標準的な製造上の変動、などから識別できる）場合には、第一の波長と異なる第二の波長を有する第二のレーザーでディスクを照明することができる。一実施形態では、第一の光学信号は第二の光学信号と異なる利得設定値で読み取ることができる。任意には、第一の光学信号（例えば、波形など）は特定の光ディスクフォーマット部分に関する正規の規格外にあってもよく、及び／又は第一の光学信号はドライブによりディスクエラーとして感知されてもよい。
【００２８】
任意には、試験部分は第一のレーザー波長で低下した可読性を有しながら、第二の波長で読取り可能であり得る。この場合、一方のレーザー波長は他方のレーザー波長より高い結果、これらの異なるレーザー波長で認識可能なリードバックの差が存在する。例えば、ディスクは７８０ｎｍ及び６５０ｎｍの両方で読取り可能であり得る。７８０ｎｍで読取り可能なセクションにあるディスク部分が光学的変性剤（例えば、吸収剤など）を有することで、光学的変性剤部分（例えば、試験部分）の可読性を７８０ｎｍで読取り可能なセクションの残部から測定可能に変化させることができる（例えば、減少させ、増加させ、又はその他のやり方で変化させることができる）。この光学的変性剤は静的変性剤（即ち、かかる変性剤は吸収状態と非吸収状態との間で変化し得ない。例えば、吸収状態の不可逆的破壊を含むプロセスによらなければ吸収状態を非吸収状態に変化させることはできない。）であり得る。しかし、その試験部分は例えば６５０ｎｍで読取り可能である。この試験部分は情報及び／又は命令を含み得る。例えば、該部分は（例えば）ディスクの真正性を証明するコード、シリアルナンバー、識別子、ソース情報などを含み得る。任意には、試験部分は標準のディスク回転速度と異なるディスク回転速度では２種（又はそれ以上）のレーザー波長で読取り可能であり得る。任意には、試験部分は光学信号が回転速度の変化に依存するようにして２以上のディスク回転速度で読み取ることができる。
【００２９】
試験部分は、２以上のタイプのデータ（例えば、異なるピットサイズによるマスタリング、異なるフォーマット（例えば、ＤＶＤ及びＣＤ）によるマスタリング、など）の使用、及び／又は所定レーザー波長で試験部分を変性させる（例えば、光学的性質を変化させる）層の使用をはじめとする様々なやり方で形成できる。異なる試験部分を使用する場合、試験部分は単一の基板上に（即ち、同一の層中に）位置していてもよいし、或いは異なる基板上に（即ち、異なる層中に）位置していてもよい。例えば、ディスクが２つの基板を含む場合（例えば、ＤＶＤ型ディスク配列を有する場合）、各基板は異なるタイプの試験部分を有し得る。例えば、第一のデータ基板はＤＶＤフォーマットであり得ると共に、第二のデータ基板はＣＤフォーマットであり得ることで、「ハイブリッド」ディスクを形成し得る。
【００３０】
任意には、データタイプは、ディスクの認証を可能にする識別子（例えば、コード、メッセージ、命令、情報など）を含み得る。例えば、識別子は、ディスク、製品及び／又はロットに関する情報（例えば、製品の詳細、ロットナンバー、シリアルナンバー、製造日、製造ライン、製造者、配給者など）を含み得る。
【００３１】
別法として、又は加えて、ディスクは一定の波長で試験部分のデータを読み取る能力を変化させる層（変性層）を含み得る。例えば、かかる層は、レーザー吸収剤（例えば、データ部分が理論的には７８０ナノメートル（ｎｍ）レーザーでリードバックされるように設計されている場合には近赤外吸収剤）、ルミネセンス物質、屈折率変更剤、散乱剤、偏光調整剤、非線形光学材料（即ち、レーザービームのパワーと直線的に相関しないレーザーの吸収／透過を示す材料）など、及び上述の光学的変性剤の１種以上を含む組合せのような光学的変性剤を含み得る。システムに応じ（例えば、関係する２種の波長に応じ）、光学的変性剤は、一方の波長ではエネルギーに影響を及ぼす（例えば、読取り能力を部分的又は完全に妨害し、増強し、又はその他のやり方で変化させる）と同時に、他方の波長ではリードバックを可能にする（例えば、影響を及ぼさない）ように選択できる。例えば、第一の波長（例えば、７８０ｎｍ）では読取り能力に影響を及ぼしながら第二の波長（例えば、６５０ｎｍ）ではリードバックを許すようにレーザー吸収剤を選択できる。別の例示的な実施形態では、ディスクは、（例えば、約６５０ｎｍの波長を用いて）標準のＤＶＤフォーマットで読取り可能であるが約７８０ｎｍ又は約４０５ｎｍの波長では読取り可能でない部分と、（例えば、約４０５ｎｍの波長を用いて）ＨＤ−ＤＶＤフォーマットで読取り可能であるが約７８０ｎｍ又は約６５０ｎｍの波長では読取り可能でない別の部分とを有し得る。（波長（例えば、４０５ｎｍ、６５０ｎｍ及び７８０ｎｍ）は、実際にはこれらの波長を中心として約±２５ｎｍの波長範囲であることに注意されたい。）
変性層は、別の層の可読性に影響を及ぼし得る物品中の任意の層であり得る。例えば、変性層は基板（複数の基板が存在する場合には１つの基板）、被膜、層間又は基板間の接着剤、基板／層間又はその側面上の金属層（例えば、特殊な反射特性（即ち、波長依存性の反射特性）を有するもの）などであり得る。任意には、変性層（又は追加の変性層）はディスクの使用を制御するために使用できる。例えば、ディスクを特定のプレーヤー又は特定タイプのプレーヤー（例えば、Ｍｉｃｒｏｓｏｆｔ  Ｘｂｏｘのコンソール）のみで読取り可能にするために使用できる。
【００３２】
試験部分及び／又は変性層を有するディスクは、基板ポリマーからなっている。ディスクのタイプに応じ、基板ポリマーは光ディスク用として使用するのに適した光学的特性を有し得る。基板ポリマーの例には、非晶質、結晶質及び／又は半結晶質熱可塑性材料、例えば、ポリ塩化ビニル、ポリオレフィン（線状及び環状ポリオレフィンを包含し、ポリエチレン、塩素化ポリエチレン、ポリプロピレンなどを含む）、ポリエステル（ポリエチレンテレフタレート、ポリブチレンテレフタレート、ポリシクロヘキシルメチレンテレフタレートなどを含む）、ポリアミド、ポリスルホン（水素化ポリスルホンなどを含む）、ポリイミド、ポリエーテルイミド、ポリエーテルスルホン、ポリフェニレンスルフィド、ポリエーテルケトン、ポリエーテルエーテルケトン、ＡＢＳ樹脂、ポリスチレン（水素化ポリスチレン、シンジオタクチック及びアタクチックポリスチレン、ポリシクロヘキシルエチレン、スチレン−コ−アクリロニトリル、スチレン−コ−無水マレイン酸などを含む）、ポリブタジエン、ポリアクリレート（ポリメチルメタクリレート、メチルメタクリレート−ポリイミドコポリマーなどを含む）、ポリアクリロニトリル、ポリアセタール、ポリカーボネート、ポリフェニレンエーテル（２，６−ジメチルフェノールから導かれるもの、２，３，６−トリメチルフェノールとのコポリマーなどを含む）、エチレン−酢酸ビニルコポリマー、ポリ酢酸ビニル、液晶ポリマー、エチレン−テトラフルオロエチレンコポリマー、芳香族ポリエステル、ポリフッ化ビニル、ポリフッ化ビニリデン、ポリ塩化ビニリデン及びポリテトラフルオロエチレン、並びにエポキシ樹脂、フェノール樹脂、アルキド樹脂、ポリエステル、ポリイミド、ポリウレタン、無機充填材入りシリコーン、ビス−マレイミド、シアネートエステル、ビニル樹脂及びベンゾシクロブテン樹脂のような熱硬化性樹脂、加えて上述のものの１種以上を含むブレンド、コポリマー、混合物、反応生成物及び複合物がある。かかるポリマーの非限定的な例には、ポリカーボネート、ポリカーボネート−シロキサンコポリマー、透明環状ポリオレフィン、ポリアクリレート（例えば、光媒体用途のためにＡＴＯＦＩＮＡ社から提供されるもの）及び透明ポリカーボネート−ポリエステルブレンド、並びに上述のポリマーの１種以上を含む組合せがあり、例えば、（ＧＥ  Ｐｌａｓｔｉｃｓ社（ピッツフィールド、米国マサチューセッツ州）から商業的に入手できる）Ｘｙｌｅｘ（商標）ポリカーボネート／ポリエステルブレンドなどがある。
【００３３】
基板はまた、各種の添加剤も含み得る。かかる添加剤は、例えば、充填材及び／又は補強材、熱安定剤、酸化防止剤、難燃剤、光安定剤、可塑剤、帯電防止剤、離型剤、追加樹脂、発泡剤など、並びに上述の添加剤の１種以上を含む組合せである。充填材又は補強材の例には、ガラス繊維、石綿、炭素繊維、シリカ、タルク、炭酸カルシウムなどがある。熱安定剤の例には、トリフェニルホスフィット、トリス（２，６−ジメチルフェニル）ホスフィット、トリス（混合モノ−及びジ−ノニルフェニル）ホスフィット、ジメチルベンゼンホスホネート、トリメチルホスフェートなどがある。酸化防止剤の例には、オクタデシル−３−（３，５−ジ−ｔｅｒｔ−ブチル−４−ヒドロキシフェニル）プロピオネート、ペンタエリトリチル−テトラキス［３−（３，５−ジ−ｔｅｒｔ−ブチル−４−ヒドロキシフェニル）プロピオネート］などがある。光安定剤の例には、２−（２−ヒドロキシ−５−メチルフェニル）ベンゾトリアゾール、２−（２−ヒドロキシ−５−ｔｅｒｔ−オクチルフェニル）ベンゾトリアゾール、２−ヒドロキシ−４−ｎ−オクトキシベンゾフェノンなどがある。可塑剤の例には、ジオクチル−４，５−エポキシ−ヘキサヒドロフタレート、トリス（オクトキシカルボニルエチル）イソシアヌレート、トリステアリン、エポキシ化大豆油などがある。帯電防止剤の例には、グリセロールモノステアレート、ステアリルスルホン酸ナトリウム、ドデシルベンゼンスルホン酸ナトリウムなどがある。離型剤の例には、ステアリルステアレート、みつろう、モンタンろう、パラフィンろうなどがある。追加樹脂の例には、特に限定されないが、ポリプロピレン、ポリスチレン、ポリメチルメタクリレート、ポリフェニレンオキシドなどがある。上述の添加剤の任意の組合せも使用できる。
【００３４】
基板は、任意には、励起された場合に検出可能なホトルミネセンスを生じ得る識別子（例えば、蛍光染料などの標識物質）を含み得る。任意には、ポリマーは、（検出可能なホトルミネセンスを生じさせるために標識物質を添加することが不要となるような）固有ホトルミネセンスを示し得る。例えば、フリース生成物が検出可能である場合、ポリマーの主鎖又は末端封鎖基中に蛍光モノマーを共重合させ得る場合、蛍光特性がポリマーに固有のもの（即ち、「主鎖」蛍光）である場合などがある。
【００３５】
好適な標識は、一般に、ポリマーと化学的適合性を有すると共に、エンジニアリングプラスチックの配合、特にそれを含む媒体部分（例えば、ポリマー基板）の加工条件に矛盾しない熱安定性を有するように選択される蛍光又は発光物質である。
非光学的可変化合物（例えば、静的化合物）は、有機発蛍光団、無機発蛍光団、有機金属発蛍光団、りん光物質、発光物質、半導体発光ナノ粒子など、並びに上述の標識の１種以上を含む組合せのような発光標識からなる。例示的な一実施形態では、発光標識は、周囲環境条件に対して高い頑強性を示すと共に、約３５０℃以上、好ましくは約３７５℃以上、さらに好ましくは約４００℃以上の温度安定性を示す部類の染料から選択される。標識は、最大吸収（即ち、媒体からの（例えば、基板中での）主鎖吸収或いは基板中に存在するいずれかの添加剤又は着色剤からの吸収）の背後に隠すことができる。標識は、スペクトルの可視域外（例えば、紫外域内）にピーク励起波長を有すると共に可視域又は近赤外域内にピーク発光を有し得る。励起ピークと発光ピークとの差が約５０ｎｍを超える場合、これらの化合物は通常ロング（正）ストークスシフト染料といわれる。例示的な一実施形態では、発光標識は、長紫外波長で励起されて可視域内で発光する部類のロングストークスシフト染料から選択できる。例えば、第一の標識（例えば、発蛍光団）は、第一の標識の励起をトリガーせずに（又は少なくとも最小限に抑えながら）第二の標識（例えば、発蛍光団）の存在を確実に検出するためにロングストークスシフト特性を有し得る。
【００３６】
例示的な発光標識には、蛍光標識、例えば（米国特許第５，５７３，９０９号に記載されたものを含む）ポリアザインダセン類及び／又はクマリン類、ランタニド錯体、炭化水素及び置換炭化水素染料、多環式芳香族炭化水素、シンチレーション染料（例えば、オキサゾール類及びオキサジアゾール類）、アリール置換及びヘテロアリール置換ポリオレフィン（Ｃ２〜Ｃ８オレフィン部分）、カルボシアニン染料、フタロシアニン染料及び顔料、オキサジン染料、カルボスチリル染料、ポルフィリン染料、アクリジン染料、アントラキノン染料、アントラピリドン染料、ナフタルイミド染料、ベンゾイミダゾール誘導体、アリールメタン染料、アゾ染料、ジアゾニウム染料、ニトロ染料、キノンイミン染料、テトラゾリウム染料、チアゾール染料、ペリレン染料、ペリノン染料、ビス−ベンゾオキサゾリルチオフェン（ＢＢＯＴ）、キサンテン及びチオキサンテン染料、インジゴイド及びチオインジゴイド染料、クロモン及びフラボン誘導体など、並びに本明細書中に開示される蛍光標識の１種以上を含む組合せのような染料がある。発光標識にはまた、近赤外波長の光を吸収して可視波長の光を放出する反ストークスシフト染料がある。望ましくは、ポリカーボネート或いは類似又はそれ以上の加工温度を有するエンジニアリングサーモプラスチック中で使用される、本発明と同じ譲受人に譲渡された米国特許第６，５１４，６１７号に開示される発蛍光団のような、物品の加工及び形成後にも検出し得るのに十分な熱安定性を有する発蛍光団が使用される。
【００３７】
以下は、ある種の蛍光及び／又は発光染料の部分リストである。即ち、５−アミノ−９−ジエチルイミノベンゾ（ａ）フェノキサゾニウムペルクロレート、７−アミノ−４−メチルカルボスチリル、７−アミノ−４−メチルクマリン、７−アミノ−４−トリフルオロメチルクマリン、３−（２’−ベンゾイミダゾリル）−７−Ｎ，Ｎ−ジエチルアミノクマリン、３−（２’−ベンゾチアゾリル）−７−ジエチルアミノクマリン、２−（４−ビフェニリル）−５−（４−ｔ−ブチルフェニル）−１，３，４−オキサジアゾール、２−（４−ビフェニリル）−５−フェニル−１，３，４−オキサジアゾール、２−（４−ビフェニル）−６−フェニルベンゾオキサゾール−１，３、２，５−ビス（４−ビフェニリル）−１，３，４−オキサジアゾール、２，５−ビス（４−ビフェニリル）オキサゾール、４，４’−ビス（２−ブチルオクチルオキシ）−ｐ−クアテルフェニル、ｐ−ビス（ｏ−メチルスチリル）ベンゼン、５，９−ジアミノベンゾ（ａ）フェノキサゾニウムペルクロレート、４−ジシアノメチレン−２−メチル−６−（ｐ−ジメチルアミノスチリル）−４Ｈ−ピラン、１，１’−ジエチル−２，２’−カルボシアニンヨージド、１，１’−ジエチル−４，４’−カルボシアニンヨージド、３，３’−ジエチル−４，４’，５，５’−ジベンゾチアトリカルボシアニンヨージド、１，１’−ジエチル−４，４’−ジカルボシアニンヨージド、１，１’−ジエチル−２，２’−ジカルボシアニンヨージド、３，３’−ジエチル−９，１１−ネオペンチレンチアトリカルボシアニンヨージド、１，３’−ジエチル−４，２’−キノリルオキサカルボシアニンヨージド、１，３’−ジエチル−４，２’−キノリルチアカルボシアニンヨージド、３−ジエチルアミノ−７−ジエチルイミノフェノキサゾニウムペルクロレート、７−ジエチルアミノ−４−メチルクマリン、７−ジエチルアミノ−４−トリフルオロメチルクマリン、７−ジエチルアミノクマリン、３，３’−ジエチルオキサジカルボシアニンヨージド、３，３’−ジエチルチアカルボシアニンヨージド、３，３’−ジエチルチアジカルボシアニンヨージド、３，３’−ジエチルチアトリカルボシアニンヨージド、４，６−ジメチル−７−エチルアミノクマリン、２，２’−ジメチル−ｐ−クアテルフェニル、２，２−ジメチル−ｐ−テルフェニル、７−ジメチルアミノ−１−メチル−４−メトキシ−８−アザキノロン−２、７−ジメチルアミノ−４−メチルキノロン−２、７−ジメチルアミノ−４−トリフルオロメチルクマリン、２−（４−（４−ジメチルアミノフェニル）−１，３−ブタジエニル）−３−エチルベンゾチアゾリウムペルクロレート、２−（６−（ｐ−ジメチルアミノフェニル）−２，４−ネオペンチレン−１，３，５−ヘキサトリエニル）−３−メチルベンゾチアゾリウムペルクロレート、２−（４−（ｐ−ジメチルアミノフェニル）−１，３−ブタジエニル）−１，３，３−トリメチル−３Ｈ−インドリウムペルクロレート、３，３’−ジメチルオキサトリカルボシアニンヨージド、２，５−ジフェニルフラン、２，５−ジフェニルオキサゾール、４，４’−ジフェニルスチルベン、１−エチル−４−（４−（ｐ−ジメチルアミノフェニル）−１，３−ブタジエニル）ピリジニウムペルクロレート、１−エチル−２−（４−（ｐ−ジメチルアミノフェニル）−１，３−ブタジエニル）ピリジニウムペルクロレート、１−エチル−４−（４−（ｐ−ジメチルアミノフェニル）−１，３−ブタジエニル）キノリウムペルクロレート、３−エチルアミノ−７−エチルイミノ−２，８−ジメチルフェノキサジン−５−イウムペルクロレート、９−エチルアミノ−５−エチルアミノ−１０−メチル−５Ｈ−ベンゾ（ａ）フェノキサゾニウムペルクロレート、７−エチルアミノ−６−メチル−４−トリフルオロメチルクマリン、７−エチルアミノ−４−トリフルオロメチルクマリン、１，１’，３，３，３’，３’−ヘキサメチル−４，４’，５，５’−ジベンゾ−２，２’−インドトリカルボシアニンヨージド、１，１’，３，３，３’，３’−ヘキサメチルインドジカルボシアニンヨージド、１，１’，３，３，３’，３’−ヘキサメチルインドトリカルボシアニンヨージド、２−メチル−５−ｔ−ブチル−ｐ−クアテルフェニル、Ｎ−メチル−４−トリフルオロメチルピペリジノ−＜３，２−ｇ＞クマリン、３−（２’−Ｎ−メチルベンゾイミダゾリル）−７−Ｎ，Ｎ−ジエチルアミノクマリン、２−（１−ナフチル）−５−フェニルオキサゾール、２，２’−ｐ−フェニレン−ビス（５−フェニルオキサゾール）、３，５，３""，５""−テトラ−ｔ−ブチル−ｐ−セキシフェニル、３，５，３""，５""−テトラ−ｔ−ブチル−ｐ−キンキフェニル、２，３，５，６−１Ｈ，４Ｈ−テトラヒドロ−９−アセチルキノリジノ−＜９，９ａ，１−ｇｈ＞クマリン、２，３，５，６−１Ｈ，４Ｈ−テトラヒドロ−９−カルボエトキシキノリジノ−＜９，９ａ，１−ｇｈ＞クマリン、２，３，５，６−１Ｈ，４Ｈ−テトラヒドロ−８−メチルキノリジノ−＜９，９ａ，１−ｇｈ＞クマリン、２，３，５，６−１Ｈ，４Ｈ−テトラヒドロ−９−（３−ピリジル）キノリジノ−＜９，９ａ，１−ｇｈ＞クマリン、２，３，５，６−１Ｈ，４Ｈ−テトラヒドロ−８−トリフルオロメチルキノリジノ−＜９，９ａ，１−ｇｈ＞クマリン、２，３，５，６−１Ｈ，４Ｈ−テトラヒドロキノリジノ−＜９，９ａ，１−ｇｈ＞クマリン、３，３’，２”，３"'−テトラメチル−ｐ−クアテルフェニル、２，５，２""，５"'−テトラメチル−ｐ−キンキフェニル、ｐ−テルフェニル、ｐ−クアテルフェニル、ナイルレッド、ローダミン７００、オキサジン７５０、ローダミン８００、ＩＲ１２５、ＩＲ１４４、ＩＲ１４０、ＩＲ１３２、ＩＲ２６、ＩＲ５、ジフェニルヘキサトリエン、ジフェニルブタジエン、テトラフェニルブタジエン、ナフタレン、アントラセン、９，１０−ジフェニルアントラセン、ピレン、クリセン、ルブレン、コロネン、フェナントレンなど、並びに上述のものの１種以上を含む組合せである。
【００３８】
発光標識は、（大径に沿って測定して）約１〜約５０ナノメートル（ｎｍ）の粒度を有する発光ナノ粒子も含み得る。例示的な発光ナノ粒子には、希土類アルミン酸塩（例えば、ユウロピウム及びジスプロシウムをドープしたアルミン酸ストロンチウムなど）、半導体ナノ粒子（例えば、ＣｄＳｅ、ＣｄＴｅ、ＣｄＳ、ＺｎＳ、Ｃｄ３Ｐ２、ＰｂＳｅなどであって、ＣｄＳｅ／ＺｎＳ、ＣｄＴｅ／Ｃｄｓなどのコアシェル粒子も含む）、並びに上述のものの１種以上を含む組合せがある。一実施形態では、アントラ［２，１，９−ｄｅｆ：６，５，１０−ｄ’ｅ’ｆ’］ジイソキノリン−１，３，８，１０（２Ｈ，９Ｈ）−テトラオン及び２，９−ビス［２，６−ビス（１−メチルエチル）フェニル］−５，６，１２，１３−テトラフェノキシのようなペリレン類をはじめとする蛍光標識が発光標識として使用される。
【００３９】
静的標識に加えて、かかる層は光学的可変標識（例えば、時間の関数として蛍光強度及び／又は波長が変化する蛍光発光を示す化合物）を含み得る。例えば、媒体は複数回にわたって評価し得るように（即ち、認証信号が反復可能であるように）設計できるのに対し、他の実施形態では、例えば１回以上の認証手続き後に劣化する光学的可変標識の使用によって認証信号がただ１回だけ評価できる。例示的な一実施形態では、認証可能なポリマーは、複数回にわたり（例えば、光学デバイス又はキオスクでの使用中の様々な時点で）認証できる光学的可変標識を含み得る。基板と他の層との間における所望の相互作用のため、標識の選択は基板と共に使用される層の選択に依存する。
【００４０】
若干の好適な光学的可変標識は、一般に、ポリマーと化学的適合性を有すると共に、エンジニアリングプラスチックの配合、特にそれを含む媒体部分（例えば、ポリマー基板）の加工条件に矛盾しない熱安定性を有するように選択される蛍光又は発光物質である。使用可能な光学的可変標識には、オキサジアゾール誘導体、発光共役ポリマーなどがある。好適な発光共役ポリマーの実例は、ポリ−ｐ−フェニレンビニレン誘導体のような青色発光ポリマーである。好適なオキサジアゾール誘導体の実例には、２位がビフェニル又は置換ビフェニルで置換され、５位がフェニル誘導体で置換されたオキサジアゾール誘導体がある。例えば、ｔｅｒｔ−ブチルフェニルオキサジアゾール、ビス（ビフェニリル）オキサジアゾール、並びにこれらの標識の１種以上を含む混合物である。
【００４１】
標識の濃度は、標識の量子効率、励起及び発光波長、並びに使用する検出技術に依存し、一般には基板（又は標識が存在する層）の総重量を基準にして約１０−１８重量％（ｗｔ％）ないし約２ｗｔ％の量、任意には約１０−８ｗｔ％ないし約０．５ｗｔ％の量、さらに詳しくは約１０−５ｗｔ％ないし約０．０５ｗｔ％の量で存在する。
【００４２】
認証をさらに向上させるため、基板（及び／又は別の層）はさらに（又は代わりに）着色剤を任意に含み得る。これらの着色剤は、例えば、通常の照明条件（例えば、昼光）下で標識ポリマー又は標識情報記憶媒体に特定の外観を付与し得る。記憶媒体の容易で正確な認証を可能にするため、使用するいずれの着色剤もホトルミネセント発光を妨害しないことが望ましい。例えば、着色剤は標識物質（例えば、蛍光染料）に比べてＵＶ励起下で蛍光を全く示さないか又は非常に弱い蛍光しか示さないものであり得る。好適な着色剤には、以下の染料部類、即ちアントラキノン類、メチン類、ペリノン類、アゾ染料、アントラピリドン類、キノフタロン類など、並びに上述の着色剤の１種以上を含む組合せに属する非蛍光性誘導体がある。
【００４３】
次に、２つのレーザーに関して異なるリードバック能力を有するディスクを製造するために使用できる様々な着想を例示する図１〜４について説明する。図１は、レーザー吸収スポット又はバンド（以後は「スポット」という）を用いて２つのレーザー波長の一方を遮断することを示している。例えば、ＤＶＤ上に７８０ｎｍ吸収スポットを配設できる。６５０ｎｍレーザーから７８０ｎｍレーザーの「切換え」が可能なドライブ（例えば、読取りデバイス）により、スポット位置での可読性（反射率信号）を試験できる。かかるスポットは、（例えば、ポリカーボネート中に光反応性染料を用いた）変性ポリカーボネートを用いて加工後段階で形成できる。別法として、メタライズド基板に感光性染料をスピンコートし、次いでホトマスキングを用いてスポットを形成することもできる。
【００４４】
図２は、レーザー吸収染料（例えば、ＮＩＲ（近赤外）吸収剤）を用いて得られる特殊な反射率プロフィルをグラフで示している。例えば、吸収染料は、６５０ｎｍ及び７８０ｎｍに特定のプロフィルを生み出すため基板中に混入したＮＩＲ吸収剤であり得る。ドライブは、両レーザーを用いてデータ部分を試験することで（各波長での反射率（例えば、パーセント反射率（％Ｒ）のような）光学信号（例えば、％Ｒ  ７８０ｎｍ及び％Ｒ  ６５０ｎｍ）を認識し、光学信号の組合せ（例えば、反射率の比）を認証することができよう。かかる光学信号及び比は、特定タイプのプレーヤーのみによって認識されるように調整でき、したがってコピー防止をさらに向上させる。また、このタイプの解決策は化学的性質及び定義上非ディジタル識別特性である応答（例えば、反射率の差）に基づいているので、ハッカーによるこれらのディスクの複製は極めて困難な作業である。任意には、この方法はハイブリッドディスク（ＣＤ及びＤＶＤトラックのような２つのタイプのデータフォーマットを含むディスク）を使用し、それによってコピー作業をさらに一段と困難にすることができる。これは、ディスクの内容をハードドライブ、ＣＤ−Ｒ、ＣＤ−ＲＷ、ＤＶＤ−Ｒ、又は現在市場で入手できるいずれの記録型フォーマットにもコピーできないからである。
【００４５】
図３及び４は、ハイブリッドディスクの若干の例示的な構成を示している。例示的な一実施形態では、ハイブリッドディスクはＣＤ及びＤＶＤトラックの両方を有し得る。図３では、ＣＤ基板及びＤＶＤ基板を互いに接合してＣＤ／ＤＶＤハイブリッドディスクを形成できる。例えばＣＤ基板は、６５０ｎｍ及び７８０ｎｍでの反射率の差を用いて認証を行うためのＮＩＲ吸収剤を含み得る。ＣＤ側の認証後、光学ドライブ（又はそれを制御するソフトウェア）は、ディスクの反対側に位置するディスクの残部へのアクセスを許すことができる（或いはその逆も可能である）。このような場合、ユーザーはドライブが反対側を読み出すためにディスクを手でひっくり返す必要があるかもしれない。最新のドライブは、エンドユーザーが手で操作しなくてもレーザーがディスクのいずれの側も読み出せるようにする光学部品を含むことがある（「ひっくり返し」が不要である）。
【００４６】
図４は、異なるデータ部分を同じ側から読み出すことができる別のタイプのハイブリッドディスク（時にはスーパーオーディオＣＤ（ＳＡＣＤ）といわれる）を示している。例えば、層１（Ｌ１）はＣＤ基板であり、６５０ｎｍ及び７８０ｎｍで異なる反射率プロフィルを生み出すＮＩＲ吸収剤を含み得る。層０（Ｌ０）は、特定の反射率プロフィルを有するＬ１層の存在が検出された場合にのみ、ソフトウェアによってアクセスが許されるＤＶＤ基板であり得る（或いはその逆も可能である）。Ｌ１の認証は、ディスクの起動後／起動中及びＬ０層へのデータアクセスが許された後に選択される任意の時点にトリガーできる。さらに、認証手続きに関係するコンピューターコードが同定されるリスクを最小にするため、認証手続きをランダムにトリガーすることが望ましい。任意には、ソフトウェアプログラム又はゲームのコンピューターコード中に埋め込まれた認証手続きを破壊する作業を一層複雑にするため、Ｌ１の異なる位置を試験することもできよう。
【００４７】
複製方法の複雑さのためにあまり望ましくはないが、２以上のデータフォーマットが同じ基板上に位置するハイブリッドディスクを製造することも考えられる。このようなハイブリッドディスクの一例は、ＣＤ及びＤＶＤトラックの両方を同一基板上に形成してなるディスクである。かかるディスクは、例えば、ＣＤ及びＤＶＤトラックの両方を有する厚さ１．２ミリメートル（ｍｍ）の単層ディスクであり得る。別法として、かかるディスクはＬ１基板がＣＤ及びＤＶＤトラックの両方を有する２枚の（例えば、厚さ０．６ｍｍの）ハーフディスクからなり得る。ＮＩＲ吸収剤はＣＤトラックの光路中に存在し、それによってＣＤトラックを６５０ｎｍレーザー及び７８０ｎｍレーザーで読み取った場合に異なる反射率プロフィルを生み出すことができる。
【００４８】
図５は、図４に関連して記載したもののようなハイブリッドディスクを製造するためのいくつかの方法を示している。これらのハイブリッドディスクは、例えば、ＣＤ及びＤＶＤトラックの両方を含み得る。同様に、かかるハイブリッドディスクは、赤色レーザー及び青色レーザーを有するＤＶＤプレーヤーのようなプレーヤー用のＤＶＤハイブリッドであり得る。この方法は、例えば、適当なスタンパー（例えば、ＣＤ、ＤＶＤなど）を備えたＣＤ／ＤＶＤ射出成形機を用いた成形により、（例えば、約０．３〜約２．０ミリメートル（ｍｍ）、さらに詳しくは約０．６〜約１．２ｍｍ、さらに一段と詳しくは約０．６ｍｍの厚さを有する）１以上の基板を形成することを含み得る。基板の側面の全部又は一部を（例えば、アルミニウム、銀、金など、並びに上述の金属の１種以上を含む合金又は組合せで）メタライズすることができる。アブレーション、（例えば、蒸着中に）マスクなどを用いて、メタライズ層中に穴又はバンドを設けることができる。次いで、例えば接着剤層に隣接して、（例えば、スピンコート、インクジェット印刷、ラミネーション、吹付けなど、並びに上述のものの１以上を含む組合せにより）基板に被膜を任意に施すことができる。次いで、基板を互いに接合できる。次いで、例えばＣＤ基板上において、接合物品を（例えば、アルミニウムなどで）メタライズすることができる。任意には、メタライズ層上に被膜を施すことができる。層、被膜及び基板のいずれもが染料を含み得ることに注意されたい。こうして得られる媒体を図５中の項目６の上方に示すが、これらは（上から下に向かって）ＣＤドライブのみで読取り可能であるか、ＤＶＤドライブのみで読取り可能であるか、適当なデータマスター及びドライブソフトウェアを有するＣＤ及びＤＶＤドライブの両方で読取り可能である。
【００４９】
ディスクを認証するため、ディスクドライブシステムは真正のディスクを識別し得るコントローラー（ファームウェア、ソフトウェアなど）を含み得る。例えば、ディスクをドライブ内に配置した場合（例えば、ドライブに挿入した場合）、ドライブシステムは特定波長のレーザーでディスクを照明できる。所望の結果が得られれば、ドライブは異なる波長に変更できる（例えば、６５０ｎｍから４０５ｎｍに、７８０ｎｍから６５０ｎｍに、４０５ｎｍから７８０ｎｍに変更できる）。異なる波長では、真正のディスクは読取り可能である。所望の結果とは、例えば、（ｉ）ディスクはＣＤとして認識されるものの、７８０ｎｍのドライブでは（選択領域又はディスク全体で）特定の反射率しか得られない場合（例えば、標準ＣＤからは６５％以上の反射率が期待されるのに対し、５０％以下（さらに詳しくは４０％以下、さらに一段と詳しくは２５％以下）の反射率しか得られない場合）、（ii）ディスクはＣＤとして認識されるものの、７８０ｎｍのドライブでは所定の位置で（又はディスク全体で）測定不可能な反射率しか得られない場合など、或いは上述のものの１以上を含む組合せであり得る。
【００５０】
別の実施形態では、ディスクをドライブ内に配置できる。ドライブは、ディスクタイプ（例えば、ＤＶＤ、ＣＤ、…）を任意に識別できる。ディスクタイプに応じ、ドライブは特定波長の適当なレーザー及びディスク回転速度を用いてディスクを照明できる。照明波長でディスクから光学信号（例えば、％Ｒ、％Ｔなど）を得ることができる。次いで、ドライブは（例えば、ディスク（例えば、ブートアップセクター）からの命令、ドライブファームウェア中の命令、及び／又は外部ソース（例えば、ＣＰＵなど）からの命令により）第二の波長でディスクを照明して第二の光学信号を得ることができる。これらの光学信号を基準信号と比較できる。基準信号は、ファームウェア中、ディスク上（例えば、ブートセクター中）、ディスク及びドライブの外部など、並びに上述のものの１以上を含む組合せに保存できる。任意には、第一の光学信号及び第二の光学信号を互いに比較して（例えば）比を求め、この比を基準信号と比較することができる。
【００５１】
例えば、真正のディスクをディスクドライブ内に配置する。ディスクのブートセクターはディスクをＣＤとして認識する。ドライブソフトウェアは、ドライブコントローラーにディスクの選択部分を７８０ｎｍレーザーで照明させる。ディスクの該部分が（標準（即ち、標準は６５％以上の反射率である）と異なる）所定範囲内の光学的性質（反応性及び／又は透過率）を有していなければ、ディスクは偽造品として拒絶できる。ディスクが所定範囲内の光学的性質を有していれば、ソフトウェアはコントローラーに選択部分を異なる波長で照明させる（及び／又は異なる部分を異なる波長で照明させる）。選択部分が異なる波長で（例えば、７８０ｎｍから６５０ｎｍへの変更で）読取り可能でなければ、ディスクは偽造品と認識される。選択部分が異なる波長で（例えば、７８０ｎｍから６５０ｎｍへの変更で）読取り可能であれば、ディスクは再生できる。選択部分は設定された部分であり得るが、ブートセクター中のコードがドライブに選択部分の位置を知らせるようにすれば、それを一層ランダムにしてコピーをさらに困難にすることができる。任意には、選択部分の位置に関する情報をブートセクターの外部に（例えば、データ領域中に）配置することができる。望ましくは、認証手続きが始まる前にアクセスし得る情報が最小限で済むようにするため、かかる情報はディスクの起動の直後に検索できる位置に配置される。
【００５２】
別の実施形態では、２つのレーザー（レーザー１及び２）を使用することで、（例えば、レーザー１で作動される）ディスクから光学信号が収集される。レーザー２は、ディスク中の光学染料が光を吸収するレーザー波長で、反射率に関する光学信号を測定する。ディスク材料中に染料が存在しなければ、レーザー２の波長では、光学信号の収集は二乗平均（ＲＭＳ）値ＲＭＳ１をもった光学信号を得る。所定の添加量でディスク材料中に染料が存在すれば、レーザー２の波長では、光学信号の収集は二乗平均値ＲＭＳ２をもった光学信号を得る。認証目的のためには、測定されたＲＭＳ値を記憶された値と比較する。ディスク材料中での選択された染料濃度では、ＲＭＳ１はＲＭＳ２より大きい。これが認証のために使用できる。
【００５３】
開示される方法は、コンピューター又はコントローラーに実装されるプロセス及びこれらのプロセスを実施するためのドライブシステムとして実現できる。それはまた、フロッピー（登録商標）ディスク、ＣＤ−ＲＯＭ、ハードドライブ又は何らかの他のコンピューター読取り可能な媒体のような有形の媒体中で実現される命令を含むコンピュータープログラムコードとしても実現できる。この場合、コンピュータープログラムコードをコンピューター又はコントローラーにロードして実行すれば、コンピューターは本方法を実施するための装置となる。（新しいプログラムコード或いは既存のソフトウェア又はファームウェアのパッチ又はアップグレードであり得る）このプログラムコードは、インターネットからダウンロードすることもできる。一実施形態では、光ディスクのデュアルレーザー認証は、ソフトウェア登録プロセス中にウェブ系アプリケーションによりオンラインで実施することもできる。ディスクが真正のものと認識されれば、ウェブ系アプリケーションはコンピューター上へのソフトウェアのインストレーションを認可できる。ソフトウェアの再インストレーションを防止／制限するため、（ディスク中にディジタル暗号化されていることもあれば、単に製品と共に提供されることもある）ディスクのシリアルナンバー並びに任意の他のコンピューター特異パラメーター（例えば、プロセッサーのシリアルナンバー、オペレーティングシステムのシリアルナンバー、又は他のコンピューター特異識別子）をトランザクション中に分析することもできる。
【００５４】
さらに、海賊行為と戦うための追加手段を得るため、アクティベーショントランザクションをセントラルデータベースに記憶することもできよう。本方法はまた、コンピュータープログラムコード又は信号として具体化することもできる。かかるコンピュータープログラムコードは、例えば、記憶媒体に記憶されるか、コンピューター又はコントローラーにロードされ及び／又は実行されるか、何らかの伝送媒体（例えば、電線又はケーブル、光ファイバー、或いは電磁放射）を介して伝送される。かくして、コンピュータープログラムコードがコンピューターにロードされて実行される場合、コンピューターは本方法を実施するための装置となる。汎用マイクロプロセッサー上に実装される場合、コンピュータープログラムコードセグメントはマイクロプロセッサーを設定して特定の論理回路を形成する。
【００５５】
任意には、デュアルレーザー認証は他の情報担持媒体に関しても使用できる。情報担持媒体には、支払いカード（クレジット／デビット／商店買物カード）、ＩＤカード、免許証（運転免許証）、許可証、パスポート、個人情報カード（例えば、患者病歴を含む電子的読取りカード）、ディジタル情報を含み得るセキュリティ書類などがあり、任意にはコード化及び／又は暗号化された形態のものがある。
【実施例】
【００５６】
以下の実施例は例示的なものであって、限定的なものではない。
【００５７】
実施例１
２種のレーザー波長（６５０ｎｍ及び７８０ｎｍ）で異なる透過率値を有する各種の着色コンパクトディスクを製造し、１群のプレーヤー上で試験した。
【００５８】
表１に略示した処方に従い、黄色、淡緑色、濃青色及び黒色の光学品質（ＯＱ）ポリカーボネート（ＰＣ）ペレットを製造した。機械的タンブラーを用い、ＯＱポリカーボネート樹脂粉末を添加剤（熱安定剤及び離型剤）並びに染料と混合し、均質な混合物が得られるまで続けた（３０キログラム（ｋｇ）のバッチについて通例３０〜４０分）。次いで、Ｗｅｒｎｅｒ  ＆  Ｐｆｌｅｉｄｅｒｅｒ  ＺＳＫ−３０モデル二軸押出機で混合物を押し出した。使用した押出条件は、通例は下記の通りであった。ゾーン１＝４８０°Ｆ（約２４９℃）、ゾーン２＝５００°Ｆ（約２６０℃）、ゾーン３＝５２０°Ｆ（約２７１℃）、ゾーン４＝５４０°Ｆ（約２８２℃）、ゾーン５＝５５０°Ｆ（約２８８℃）、ダイヘッド＝５５０°Ｆ（約２８８℃）、及びスクリュー速度＝毎分４００〜４５０回転（ｒｐｍ）。ダイヘッドから出て来るポリマーストランドを水浴で冷却し、ペレット化した。Ａｘｘｉｃｏｎ金型を備えたＮｅｔｓｔａｌ成形機上で樹脂からＣＤ−ＲＯＭを成形した。Ｃａｒｙ  ３００  ＢＩＯ  Ｕｌｔｒａ−Ｖｉｏｌｅｔ−Ｖｉｓｉｂｌｅ（ＵＶ−Ｖｉｓ）分光光度計上で、厚さ１．２ｍｍの着色プラークの光透過率を測定した。
【００５９】
【表１】
2008520060.tif 000003
約１００のドライブ及びプレーヤーを含むマトリックス中でＣＤ−ＲＯＭの再生可能性を試験した。黄色のディスクが１００％の成功率を示したのに対し、淡緑色、濃青色及び黒色のディスクは８５％のプレーヤーでのみ再生可能であった。
【００６０】
【表２】
2008520060.tif 000004
表２中のデータは、レーザーのタイプが６５０ｎｍ及び７８０ｎｍで異なる反射率を有するように設計された着色ディスクに対するドライブの応答を支配することを示している。デュアルレーザーシステムを有するＰｌａｙＳｔａｔｉｏｎ  ２は、主として認証／リードバックのために７８０ｎｍレーザーを使用し、したがってすべてのディスクを再生した。それとは対照的に、単一の赤色レーザーを有するＳｈａｒｐ及びＭｉｃｒｏｓｏｆｔ  Ｘｂｏｘのドライブは４つのディスクを再生する能力が異なっている。再生可能性のためには、ある最小レベルの透過率が６５０ｎｍで要求されることは明らかである。その絶対値は問題のプレーヤーに依存するのであって、Ｍｉｃｒｏｓｏｆｔ  Ｘｂｏｘのコンソールは淡緑色のディスクを再生できないが、これはＳｈａｒｐのプレーヤーでは再生可能である。単一レーザーのプレーヤーでは、６５０ｎｍレーザーが過去にさかのぼって互換性を有し、ＣＤ−ＲＯＭデータを読み出し得ることに注意すべきである。ディスクの認証及び再生に関する２つのレーザー間の相互作用論理を示す理論的なプロセスマップを図６に示す。
【００６１】
実施例２
光ディスクの認証用の識別特性として役立つ特殊な反射率プロフィルを生み出すための近赤外吸収剤の使用を以下に例示する。図７は、ＢＡＳＦ社（ドイツ）製のクアテリレン近赤外吸収剤であるＬｕｍｏｇｅｎ  ＩＲ７８８（時にはＵｖｉｎｕｌ  ７７８８ともいう）を２種の異なるレベルで含む厚さ０．６ｍｍの成形品の典型的な透過率プロフィルを示している。添加量の増加に伴い、７８０ｎｍでの透過率（％Ｔ）が６５０ｎｍに比べて急速に低下することは明らかである。したがって、ＮＩＲ添加量を調整することで、６５０ｎｍでは光学的に透明であるが７８０ｎｍでは光学的に不透明であるディスクを生み出すことが理論的に可能である。また、一意的な％Ｔ（７８０／６５０）比又はその逆の比を生み出すことも可能である。染料添加量、％Ｔ７８０及び％Ｔ６５０の関係を求めるためにスクリーニング実験を行った。
【００６２】
【表３】
2008520060.tif 000005
機械的タンブラーを用い、ＯＱポリカーボネート樹脂粉末を添加剤（熱安定剤及び離型剤）並びにＮＩＲ染料と混合し、均質な混合物が得られるまで続けた（３０ｋｇのバッチについて通例３０〜４０分）。次いで、Ｗｅｒｎｅｒ  ＆  Ｐｆｌｅｉｄｅｒｅｒ  ＺＳＫ−３０モデル二軸押出機で混合物を押し出した。使用した押出条件は、通例は下記の通りであった。ゾーン１＝４８０°Ｆ（約２４９℃）、ゾーン２＝５００°Ｆ（約２６０℃）、ゾーン３＝５２０°Ｆ（約２７１℃）、ゾーン４＝５４０°Ｆ（約２８２℃）、ゾーン５＝５５０°Ｆ（約２８８℃）、ダイヘッド＝５５０°Ｆ（約２８８℃）、及びスクリュー速度＝毎分４００〜４５０回転（ｒｐｍ）。ダイヘッドから出て来るポリマーストランドを水浴で冷却し、ペレット化した。
【００６３】
オーブン内において１２０℃で４時間乾燥した後のペレット化材料からＣＤ及びＤＶＤ９基板を成形した。成形作業のためには、Ｓｅｉｋｏ  Ｇｅｉｋｅｎ  ＤＶＤ金型を備えたＳｕｍｉｔｏｍｏ  ＳＤ３０成形機を使用した。Ｕｎａｘｉｓ  Ｍｅｔａｌｌｉｚｅｒｓスパッタリング装置を用いて基板（ＤＶＤハーフ）をメタライズした。接合作業はＳｔｅａｇ  Ｈａｍａｔｅｃｈ  Ｕｎｉｌｉｎｅ  ３０００  ＤＶＤ  Ｂｏｎｄｅｒ上で実施した。完全な電気試験は、ＣＤ  ＣＡＴＳ及びＡｕｄｉｏＤｅｖ  ＤＶＤＰｒｏ  ＳＡ３００  Ｐｕｌｓｅｔｅｃｈ  Ｄｒｉｖｅ上で実施した。追加の物理的及び機械的パラメーターは、Ｄｒ．Ｓｃｈｅｎｋ  ＰＲＯｍｅｔｅｕｓ  ＭＴ１３６上で試験した。
【００６４】
表４は、２種の常用ドライブ（ＰｌａｙＳｔａｔｉｏｎ  ２及びＭｉｃｒｏｓｏｆｔ  Ｘｂｏｘ）上における配合物Ａ及びＢから製造した光ディスクの起動応答を示している。％Ｔ（７８０／６５０）比を計算するためには、Ｃａｒｙ  ３００  ＢＩＯ  ＵＶ−Ｖｉｓ分光光度計上において６５０ｎｍ及び７８０ｎｍのレーザー波長で測定した透過率値を使用した。
【００６５】
【表４】
2008520060.tif 000006
ＰｌａｙＳｔａｔｉｏｎ  ２のコンソールはデュアルレーザーシステムを有することが知られており、上記実施例１に示したように、通例はＣＤ−ＲＯＭを読み取るために７８０ｎｍレーザーを使用する。配合物Ａから製造したＣＤはＰｌａｙＳｔａｔｉｏｎ  ２上で全く問題なしに起動するが、これは２つの可能性を示している。即ち、（ａ）６５０ｎｍレーザーによる認証に成功し、７８０ｎｍレーザーに切り換えてデータのリードバックを行う場合、並びに（ｂ）７８０ｎｍレーザーによる認証及びデータのリードバックに成功する場合である。しかし、配合物Ｂから製造したＣＤは、異なる％Ｔ（７８０／６５０）比を有するので起動できなかった。これは、（ａ）７８０ｎｍレーザーがディスクを認証できなかった場合、（ｂ）６５０ｎｍレーザーがディスクを認証できなかった場合、又は（ｃ）６５０ｎｍレーザーは認証したが、７８０ｎｍレーザーに切り換えられたシステムがデータを読み取れなかった場合を示している。かくして、ＰｌａｙＳｔａｔｉｏｎ  ２のコンソールで再生しようとした場合、これらのディスクは非真正のものと見なされる。ＤＶＤの認証及び読取りに際しては６５０ｎｍレーザーが優先され、配合物Ａを成功裡に再生する。（配合物Ｂの％Ｔ６５０は認証のために必要な最小レベルを下回り、そのために不合格になると考えられる。）光学信号比（例えば、％Ｔ（７８０／６５０）比）は、特定の製造者、ロット、供給者などを同定するように調整できる。例えば、光学信号比は、比の分子及び分母がドライブで検出可能となるのに十分な光学信号（例えば、透過率、反射率など）の差を有するようなものであり得る。例えば、第一の光学信号と第二の光学信号との比は約１．１５以上又は約０．８５以下、さらに詳しくは約１．２０以上又は約０．８０以下、さらに一段と詳しくは約１．３０以上又は約０．７０以下であり得る。
【００６６】
また、例えば、比の分子と分母との差は１５％以上、さらに詳しくは約２０％以上、さらに一段と詳しくは３０％以上であり得る。一実施形態では、第一の光学信号は５０％の反射率であり得る一方、第二の光学信号は約４２．５％以下又は約５７．５％以上の反射率であり得る。
【００６７】
興味深いことには、Ｔｈｏｍｓｏｎ  ＤＶＤドライブを備えたＭｉｃｒｏｓｏｆｔ  Ｘｂｏｘのように単一の６５０ｎｍレーザーのみを有するシステムの場合、ＤＶＤレーザーがＣＤからのデータをも読み取り、認証及びリードバックは７８０ｎｍでの透過率と本質的に無関係である。したがって、％Ｔ６５０が最小の所定レベルより大きければ、ディスクは上述の実験で確認されたように再生可能である。かかる場合には、データのリードバックは光の反射率のみによって制限され、したがって様々なプレーヤーに関する解決策を調整するためのオプションは制限される。
【００６８】
特定の実施例のみを用いて認証方法を例示してきたが、正確な認証を確実にするため、「真正」と見なし得る％Ｔ（７８０／６５０）値の明確に画定された範囲（さらに詳しくは、画定された狭い範囲）を、起動及び認証応答を制御する認証ソフトウェアの命令中に組み込み得ることに注意すべきである。前述の通り、これはセキュリティ及び複雑度レベルを高めると共に、ディスクの複製に興味をもつ当事者に対して透明性を低下させるために役立つ。
【００６９】
前述の実施例は、光媒体プレーヤーが同一の光ディスクに対して異なる応答を有することを明確に例示している。これらはまた、一方のレーザーでは読取り可能であるが他方のレーザーでは読取り可能でないデータ部分をもった光ディスクを製造するのが可能であることも示した。２つのタイプのデータ部分をもったディスクの可能な製造方法を提示した。当業者であれば、任意にはデータ部分の可読性の制御と共に上述の方法を使用することで、海賊行為防止特性（即ち、コピー防止ディスク）を有するディスク及びデュアルレーザードライブにおいて認証可能なディスクを製造するのが可能であることが理解されよう。これらの実施例ではＣＤ及びＤＶＤフォーマットを中心とするシステムを記載したが、この技術は青色レーザーを要求するもの（例えば、ＨＤ−ＤＶＤ及びブルーレイ）のような他の波長に適用することもできる。
【００７０】
実施例３
以下の実施例は、ディスク認証用途のための光学ドライブの２つのレーザーを用いて、光ディスクの読取り側に形成された光相互作用領域を検出することを例示している。
【００７１】
ＤＶＤの読取り面上にカーボンブラック系インキを塗布することで、ＤＶＤ物品上に吸光領域を形成した。この領域の幅は約２ミリメートル（ｍｍ）であった。吸光領域を有するＤＶＤディスクの読取りのためにＣＤ／ＤＶＤコンボ光学ドライブ（Ｐｌｅｘｔｏｒ  Ａｍｅｒｉｃａ社（フレモント、米国カリフォルニア州））を使用した。ドライブはコンピュータープログラムから、６５０ｎｍレーザー（ＤＶＤ媒体からデータを読み取るための典型的な手段）を用いてＤＶＤの読取りを開始するように命令された。ドライブの光検出器から収集された典型的な波形を図８に示す。このデータは、ドライブの光検出器からアナログ信号を時間の関数として捕獲し、ディジタル化オシロスコープで信号を処理し、捕獲された時間的波形をコンピューター上に表示することで収集された。
【００７２】
次に、ドライブはコンピュータープログラムから、ドライブ中の７８０ｎｍレーザーを始動するように命令された。かかるレーザーも、大抵のコンボドライブ中でＣＤを読み取るために利用できる。７８０ｎｍレーザーを用いてＤＶＤディスクに関しドライブの光検出器から収集された典型的な波形を、やはり図８に示す。このデータは、ドライブの光検出器からアナログ信号を時間の関数として捕獲し、ディジタル化オシロスコープで信号を処理し、捕獲された時間的波形をコンピューター上に表示することで収集された。
【００７３】
（Ａｌｄｒｉｃｈ社から商業的に入手できる）５％Ｎａｆｉｏｎ溶液中に０．０５ｗｔ％のＳＤＡ６９９５（Ｈ．Ｗ．Ｓａｎｄｓ社）を含む７８０ｎｍ吸収インキをディスクの読取り面上に塗布することで、ＳＡＣＤ物品上に吸光領域を形成した。この領域の幅は約２ｍｍであった。ＳＡＣＤディスクを使用したのは、それが２つの別々の層上にＣＤ及びＤＶＤ情報の両方を含み、これらをそれぞれ７８０ｎｍ及び６５０ｎｍレーザーで個別に読み取りできるからである。吸光領域を有するＤＶＤディスクの読取りのためにＣＤ／ＤＶＤコンボ光学ドライブ（Ｐｌｅｘｔｏｒ  Ａｍｅｒｉｃａ社（フレモント、米国カリフォルニア州））を使用した。ドライブはコンピュータープログラムから、６５０ｎｍレーザーを用いてＳＡＣＤを始動するように命令された。ドライブの光検出器から収集された典型的な波形を図９に示す。レーザーが領域のへりを通過する際、おそらくは被膜のへりでの散乱のため、波形は基線値の約５０％に低下した。しかし、領域の中心付近では、波形強度は基線値とほぼ同一であり、領域の存在に原因する６５０ｎｍレーザー光の目立った吸収は存在しないことを示している。このデータは、ドライブの光検出器からアナログ信号を時間の関数として捕獲し、ディジタル化オシロスコープで信号を処理し、捕獲された時間的波形をコンピューター上に表示することで収集された。
【００７４】
次に、ドライブはコンピュータープログラムから、ドライブ中の７８０ｎｍレーザーを始動するように命令された。７８０ｎｍレーザーを用いてＳＡＣＤディスクに関しドライブの光検出器から収集された典型的な波形を図９に示す。レーザーが領域のへりを通過する際、おそらくは被膜のへりでの散乱のため、波形は基線値の約４０％に低下した。しかし、領域の中心付近では、波形強度は基線値の８０％であった（これは領域の存在に原因する７８０ｎｍレーザー光の顕著な吸収は存在しないことを示している）。このデータは、ドライブの光検出器からアナログ信号を時間の関数として捕獲し、ディジタル化オシロスコープで信号を処理し、捕獲された時間的波形をコンピューター上に表示することで収集された。異なる波長（例えば、６５０ｎｍ及び７８０ｎｍ）のレーザーが領域の中心付近でデータを読み取った場合における波形強度の明らかな差を使用することで、吸光領域を含むディスクを認証できる。吸光領域のＵＶ−可視スペクトルを図１０に示す。
【００７５】
デュアルレーザー光学ドライブは、デュアルレーザー認証用として設計された真正ディスクを認識するように構成された内部論理回路又はファームウェアを有し得る。かかるドライブは、例えば、ゲームコンソール（例えば、Ｓｏｎｙ  ＰｌａｙＳｔａｔｉｏｎ、Ｎｉｎｔｅｎｄｏ  Ｇａｍｅ  Ｃｕｂｅ、Ｍｉｃｒｏｓｏｆｔ  Ｘ−ｂｏｘなど）で、ＤＶＤげーム市場での海賊行為と戦うための安価な手段として使用できる。この技術の別の使用例は、同一のＤＶＤ上に位置するプログラム／プログラムコードピースを映画として実行することが可能になりつつある新しいＤＶＤプレーヤーを用いたそれの実施である。ハッカーがコードを容易に除去して完全に再生可能なコピーを得るのを見過ごすリスクを回避するため、かかる認証プログラムコードを映画ファイル中に埋込むか、及び／又は暗号化することができる。工業界で採用されれば、デュアルレーザー認証は海賊行為（特に、ゲームに対する海賊行為）と戦うための簡単だが強力な手段となり得よう。
【００７６】
以上、好ましい実施形態に関して本発明を説明してきたが、当業者であれば、本発明の技術的範囲から逸脱せずに様々な変更及び同等物による構成要素の置換を行い得ることが理解されよう。さらに、本発明の本質的な範囲から逸脱することなく、特定の状況又は材料を本発明の教示に適合させるために多くの修正を行うことができる。したがって、本発明はこの発明を実施するために想定される最良の形態として開示された特定の実施形態に限定されず、特許請求の範囲に含まれるすべての実施形態を包含するものである。
【図面の簡単な説明】
【００７７】
【図１】離散した試薬スポットを有する光ディスクの略図である。
【図２】６５０ｎｍではなく７８０ｎｍを選択的に遮断するために光学的変性剤（近赤外（ＮＩＲ）吸収剤）を添加した光ディスクのデータ部分の反射率プロフィルを示すグラフである。
【図３】２つの読取り側を有するハイブリッド光ディスクの略図であって、一方の側がＤＶＤ層であり、他方の側がデュアルレーザー認証を可能にするためのＮＩＲ吸収剤を含むＣＤ層である。
【図４】ＤＶＤ層及びＣＤ層を含むと共にただ１つの側から読取り可能なハイブリッドディスクを略示していて、ＣＤ層がデュアルレーザー認証を可能にするためのＮＩＲ吸収剤を含んでいる。
【図５】デュアルレーザー認証可能な多層ディスク及びその製造方法を示す略図である。
【図６】ディスクを挿入した場合におけるデュアルレーザー光学ドライブの挙動（論理）を表す高レベル線図である。
【図７】透明ディスク（ＯＱ１０３０）、及び６５０ｎｍに比べて７８０ｎｍを選択的に吸収するＮＩＲ吸収剤の２つのレベルに関し、光透過率を波長の関数として示すグラフである。
【図８】ドライブが６５０ｎｍレーザー又は７８０ｎｍレーザーで動作する場合、ＤＶＤディスクの読取り面上に形成された吸光領域に対するＣＤ／ＤＶＤコンボドライブの光検出器の応答を示すグラフである。
【図９】ＳＡＣＤディスクの読取り面上に形成された吸光領域を６５０ｎｍ又は７８０ｎｍレーザーで検出することを示すグラフである。
【図１０】吸光領域のＵＶ−可視スペクトルを示すグラフである。
【図１】
2008520060.tif 000007
【図２】
2008520060.tif 000008
【図３】
2008520060.tif 000009
【図４】
2008520060.tif 000010
【図５】
2008520060.tif 000011
【図６】
2008520060.tif 000012
【図７】
2008520060.tif 000013
【図８】
2008520060.tif 000014
【図９】
2008520060.tif 000015
【図１０】
2008520060.tif 000016
【国際調査報告】
2008520060.tif 000017
2008520060.tif 000018
2008520060.tif 000019